【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
天井板に開口した天井点検用開口部の周囲に当接し、この天井点検用開口部を覆うカバー本体と、
このカバー本体の平面視中央に設けられた穴から望ませられるスプリンクラーヘッドとを備え、
このスプリンクラーヘッドと給水管とを配管接続継手によって接続し、前記給水管から供給された水を前記スプリンクラーヘッドから放水可能としたスプリンクラー装置において、
前記天井点検用開口部の内周との間に所定の隙間を形成して挿入される筒部と、この筒部から外方向に張り出して前記天井点検用開口部の周囲と接する鍔部とから構成された内枠と、
前記天井裏に配置されるリングとを備え、
このリングを前記筒部の外周面と螺合して前記鍔部との間で天井板を挟み込むことによって前記筒部が前記天井点検用開口部に固定されると共に、
前記カバー本体に一端が固定された板ばねを備え、この板ばねの他端と前記筒部の内周とを係合することにより、前記カバー本体の周囲を前記鍔部よりも外側の前記天井板の表面と当接して保持することを特徴とするスプリンクラー装置。
【請求項２】
天井板に開口した天井点検用開口部の周囲に当接し、この天井点検用開口部を覆うカバー本体と、
このカバー本体の平面視中央に設けられた穴から望ませられるスプリンクラーヘッドとを備え、
このスプリンクラーヘッドと給水管とを配管接続継手によって接続し、前記給水管から供給された水を前記スプリンクラーヘッドから放水可能としたスプリンクラー装置において、
前記カバー本体に固定され、前記天井点検用開口部の内周との間に所定の隙間を形成して挿入される保持金具と、この保持金具から外方向に突出する保持部とから構成された保持部材と、
天井裏に固定される受け部と、この受け部から前記天井点検用開口部側に張り出す平面視凸部とから構成された受け部材とを備え、
この受け部材の凸部と前記保持部材の前記保持部とを係合して前記カバー本体を前記天井板に保持すると共に、
前記保持部または前記凸部のどちらか一方に固定される板ばねとを備え、
この板ばねが前記保持部材を天井裏側に付勢することにより、前記カバー本体の周囲を前記天井板の表面と当接して保持することを特徴とするスプリンクラー装置。
【請求項３】
天井板に開口した天井点検用開口部の周囲に当接し、この天井点検用開口部を覆うカバー本体と、
このカバー本体の平面視中央に設けられた穴から望ませられるスプリンクラーヘッドとを備え、
このスプリンクラーヘッドと給水管とを配管接続継手によって接続し、前記給水管から供給された水を前記スプリンクラーヘッドから放水可能としたスプリンクラー装置において、
天井裏に固定される補強材と、この補強材から天井裏側に立設された固定金具から構成された複数の固定部材と、
前記カバー本体と前記固定金具とを繋ぐ複数のコイルばねとを備え、
このコイルばねが前記カバー本体を天井裏側に付勢することにより、前記カバー本体の周囲を前記天井板の表面と当接して保持することを特徴とするスプリンクラー装置。
【請求項４】
天井板に開口した天井点検用開口部の周囲に当接し、この天井点検用開口部を覆うカバー本体と、
このカバー本体の平面視中央に設けられた穴から望ませられるスプリンクラーヘッドとを備え、
このスプリンクラーヘッドと給水管とを配管接続継手によって接続し、前記給水管から供給された水を前記スプリンクラーヘッドから放水可能としたスプリンクラー装置において、
前記配管接続継手に固定され、前記天井点検用開口部内の天井裏側に平面視において張り出し、その先端に複数の切り欠き部を有する受け部材と、
前記カバー本体に固定され、天井裏側に立設する保持金具と、この保持金具先端部から張り出した鍔部とから構成される保持部材とを備え、
この保持部材の鍔部と前記切り欠き部とを係合して前記カバー本体を前記配管接続継手に保持すると共に、
前記受け部材または前記保持部材のいずれか一方に固定される板ばねとを備え、この板ばねの付勢力により前記カバー本体の周囲を前記天井板の表面と当接して保持することを特徴とするスプリンクラー装置。
【請求項５】
天井板に開口した天井点検用開口部の周囲に当接し、この天井点検用開口部を覆うカバー本体と、
このカバー本体の平面視中央に設けられた穴から望ませられるスプリンクラーヘッドと、
配管接続継手を天井裏側に固定する固定部とを備え、
このスプリンクラーヘッドと給水管とを配管接続継手によって接続し、前記給水管から供給された水を前記スプリンクラーヘッドから放水可能としたスプリンクラー装置において、
前記固定部に対して、前記天井点検用開口部内の天井裏側に平面視において張り出した固定部材と
この固定部材と前記カバー本体を繋ぐ複数のコイルばねとを備える共に、
このコイルばねが前記カバー本体を天井裏側に付勢することにより、前記カバー本体の周囲を前記天井板の表面と当接して保持することを特徴とするスプリンクラー装置。
【請求項６】
天井板に開口した天井点検用開口部の周囲に当接し、この天井点検用開口部を覆うカバー本体と、
このカバー本体の平面視中央に設けられた穴から望ませられるスプリンクラーヘッドとを備え、
このスプリンクラーヘッドと給水管とを配管接続継手によって接続し、前記給水管から供給された水を前記スプリンクラーヘッドから放水可能としたスプリンクラー装置において、
前記カバー本体の平面視中央に固定され、少なくとも外周部又は内周部のいずれかにねじを有し、前記スプリンクラーヘッドを挿通可能な円筒状の第一の接続部材と、
この第一の接続部材の前記ねじと螺合可能に少なくとも外周部又は内周部のいずれかにねじを有し、前記配管接続継手に固定される円筒状の第二の接続部材とを備え、
この第二の接続部材と前記第一の接続部材が前記ねじにより螺合されることにより、前記カバー本体の周囲を前記天井板の表面と当接して保持することを特徴とするスプリンクラー装置。
【手続補正２】
【補正対象書類名】明細書
【補正対象項目名】０００７
【補正方法】変更
【補正の内容】
【０００７】
本発明の請求項１では、天井板に開口した天井点検用開口部の周囲に当接し、この天井点検用開口部を覆うカバー本体と、このカバー本体の平面視中央に設けられた穴から望ませられるスプリンクラーヘッドとを備え、このスプリンクラーヘッドと給水管とを配管接続継手によって接続し、前記給水管から供給された水を前記スプリンクラーヘッドから放水可能としたスプリンクラー装置において、前記天井点検用開口部の内周との間に所定の隙間を形成して挿入される筒部と、この筒部から外方向に張り出して前記天井点検用開口部の周囲と接する鍔部とから構成された内枠と、前記天井裏に配置されるリングとを備え、このリングを前記筒部の外周面と螺合して前記鍔部との間で天井板を挟み込むことによって前記筒部が前記天井点検用開口部に固定されると共に、前記カバー本体に一端が固定された板ばねを備え、この板ばねの他端と前記筒部の内周とを係合することにより、前記カバー本体の周囲を前記鍔部よりも外側の前記天井板の表面と当接して保持することを特徴とするスプリンクラー装置とした。
【手続補正３】
【補正対象書類名】明細書
【補正対象項目名】０００９
【補正方法】変更
【補正の内容】
【０００９】
本発明の請求項２では、天井板に開口した天井点検用開口部の周囲に当接し、この天井点検用開口部を覆うカバー本体と、このカバー本体の平面視中央に設けられた穴から望ませられるスプリンクラーヘッドとを備え、このスプリンクラーヘッドと給水管とを配管接続継手によって接続し、前記給水管から供給された水を前記スプリンクラーヘッドから放水可能としたスプリンクラー装置において、前記カバー本体に固定され、前記天井点検用開口部の内周との間に所定の隙間を形成して挿入される保持金具と、この保持金具から外方向に突出する保持部とから構成された保持部材と、天井裏に固定される受け部と、この受け部から前記天井点検用開口部側に張り出す平面視凸部とから構成された受け部材とを備え、この受け部材の凸部と前記保持部材の前記保持部とを係合して前記カバー本体を前記天井板に保持すると共に、前記保持部または前記凸部のどちらか一方に固定される板ばねとを備え、この板ばねが前記保持部材を天井裏側に付勢することにより、前記カバー本体の周囲を前記天井板の表面と当接して保持することを特徴とするスプリンクラー装置とした。
【手続補正４】
【補正対象書類名】明細書
【補正対象項目名】００１０
【補正方法】変更
【補正の内容】
【００１０】
これにより、受け部材の凸部と天井点検用開口部中心との距離と、受け部材の天井固定面での保持金具とカバー本体中心との距離との差に起因する、受け部材の凸部と保持金具との間に生じる隙間により、天井点検用開口部とスプリンクラーヘッドとの施工誤差による位置ずれを吸収できるため、スプリンクラー配管接続継手直下に天井点検用開口部を設けることが可能になる。
そして、点検者はスプリンクラー配管接続継手直下の天井点検用開口部から点検ができるため、室内よりの目視や、手の挿入による点検ができ、身体上の負担が軽減される。
また、カバー本体を回転させることで、保持部材が板ばねを介して受け部材で保持される位置と、保持されない位置とに移動させることができ、カバー本体を天井点検用開口部より着脱することができる。このためスプリンクラー点検口カバーの着脱操作が容易であり、更に点検をしやすくなっている。また、建築躯体より専用の支持を取る必要がなく、容易に施工することができる。
【手続補正５】
【補正対象書類名】明細書
【補正対象項目名】００１１
【補正方法】変更
【補正の内容】
【００１１】
本発明の請求項３では、天井板に開口した天井点検用開口部の周囲に当接し、この天井点検用開口部を覆うカバー本体と、このカバー本体の平面視中央に設けられた穴から望ませられるスプリンクラーヘッドとを備え、このスプリンクラーヘッドと給水管とを配管接続継手によって接続し、前記給水管から供給された水を前記スプリンクラーヘッドから放水可能としたスプリンクラー装置において、天井裏に固定される補強材と、この補強材から天井裏側に立設された固定金具から構成された複数の固定部材と、前記カバー本体と前記固定金具とを繋ぐ複数のコイルばねとを備え、このコイルばねが前記カバー本体を天井裏側に付勢することにより、前記カバー本体の周囲を前記天井板の表面と当接して保持することを特徴とするスプリンクラー装置とした。
【手続補正６】
【補正対象書類名】明細書
【補正対象項目名】００１２
【補正方法】変更
【補正の内容】
【００１２】
これにより、天井点検用開口部の開口径とカバー本体の外径との間に設けた径差により、天井点検用開口部とスプリンクラーヘッドとの施工誤差による位置ずれを吸収できるため、スプリンクラー配管接続継手直下に天井点検用開口部を設けることが可能になる。
そして、点検者はスプリンクラー配管接続継手直下の天井点検用開口部から点検ができるため、室内よりの目視や、手の挿入による点検ができ、身体上の負担が軽減される。
また、カバー本体を下方に引くことで天井点検用開口部より天井裏のスプリンクラー配管接続継手を目視確認することができ、引くことをやめると、コイルばねによりカバー本体が天井点検用開口部を塞ぐ位置に戻る。また、前述のようにカバー本体を下方に引くだけで点検をすることができるため、点検時に取り外したカバー本体を床等の他の場所に一時的に置く必要が無く、更に点検をしやすくなっている。
さらに、施工においては固定部材を天井点検用開口部に固定のうえ、固定部材とカバー本体とをコイルばねで固定するだけの簡易構造であり、建築躯体より専用の支持を取る必要がなく、容易に施工することができる。
【手続補正７】
【補正対象書類名】明細書
【補正対象項目名】００１３
【補正方法】変更
【補正の内容】
【００１３】
本発明の請求項４では、天井板に開口した天井点検用開口部の周囲に当接し、この天井点検用開口部を覆うカバー本体と、このカバー本体の平面視中央に設けられた穴から望ませられるスプリンクラーヘッドとを備え、このスプリンクラーヘッドと給水管とを配管接続継手によって接続し、前記給水管から供給された水を前記スプリンクラーヘッドから放水可能としたスプリンクラー装置において、前記配管接続継手に固定され、前記天井点検用開口部内の天井裏側に平面視において張り出し、その先端に複数の切り欠き部を有する受け部材と、前記カバー本体に固定され、天井裏側に立設する保持金具と、この保持金具先端部から張り出した鍔部とから構成される保持部材とを備え、この保持部材の鍔部と前記切り欠き部とを係合して前記カバー本体を前記配管接続継手に保持すると共に、前記受け部材または前記保持部材のいずれか一方に固定される板ばねとを備え、この板ばねの付勢力により前記カバー本体の周囲を前記天井板の表面と当接して保持することを特徴とするスプリンクラー装置とした。
【手続補正８】
【補正対象書類名】明細書
【補正対象項目名】００１４
【補正方法】変更
【補正の内容】
【００１４】
これにより、天井点検用開口部の開口径とカバー本体の外径との間に設けた径差により、天井点検用開口部とスプリンクラーヘッドとの施工誤差による位置ずれを吸収できるため、スプリンクラー配管接続継手直下に天井点検用開口部を設けることが可能になる。
そして、点検者はスプリンクラー配管接続継手直下の天井点検用開口部から点検ができるため、室内よりの目視や、手の挿入による点検ができ、身体上の負担が軽減される。
また、カバー本体を回転させることで、保持部材が板ばねを介して受け部材で保持される位置と、保持されない位置とに移動させることができ、カバー本体を天井点検用開口部より着脱することができる。このためカバー本体の着脱操作が容易であり、更に点検をしやすくなっている。
さらに、施工においてはスプリンクラー配管接続継手に受け部材を固定し、カバー本体を天井板の表面に密着のうえ回動させ、保持部材を受け部材において板ばねを介し保持するだけの簡易構造であり、建築躯体より専用の支持を取る必要がなく、容易に施工することができる。また天井には開口をあけるのみで部材を天井に固定する必要が無いため、天井がカバー本体の自重を支える必要も無く、施工が更に容易になるばかりか、天井材料選定が自由になる。
【手続補正９】
【補正対象書類名】明細書
【補正対象項目名】００１５
【補正方法】変更
【補正の内容】
【００１５】
本発明の請求項５では、天井板に開口した天井点検用開口部の周囲に当接し、この天井点検用開口部を覆うカバー本体と、このカバー本体の平面視中央に設けられた穴から望ませられるスプリンクラーヘッドと、配管接続継手を天井裏側に固定する固定部とを備え、このスプリンクラーヘッドと給水管とを配管接続継手によって接続し、前記給水管から供給された水を前記スプリンクラーヘッドから放水可能としたスプリンクラー装置において、前記固定部に対して、前記天井点検用開口部内の天井裏側に平面視において張り出した固定部材とこの固定部材と前記カバー本体を繋ぐ複数のコイルばねとを備える共に、このコイルばねが前記カバー本体を天井裏側に付勢することにより、前記カバー本体の周囲を前記天井板の表面と当接して保持することを特徴とするスプリンクラー装置とした。
【手続補正１０】
【補正対象書類名】明細書
【補正対象項目名】００１６
【補正方法】変更
【補正の内容】
【００１６】
これにより、天井点検用開口部の開口径とカバー本体の外径との間に設けた径差により、天井点検用開口部とスプリンクラーヘッドとの施工誤差による位置ずれを吸収できるため、スプリンクラー配管接続継手直下に天井点検用開口部を設けることが可能になる。
このため、点検者はスプリンクラー配管接続継手直下の天井点検用開口部から点検ができるため、室内よりの目視や、手の挿入による点検ができ、身体上の負担が軽減される。
また、カバー本体を下方に引くことで天井点検用開口部より天井裏を目視確認することができ、引くことをやめると、コイルばねにより天井点検用開口部を塞ぐ位置に戻る。また、前述のようにカバー本体を下方に引くだけで点検をすることができるため、点検時に取り外したカバー本体を床等の他の場所に一時的に置く必要が無く、更に点検をしやすくなっている。
さらに、施工においては固定部材を固定部に固定のうえ、固定部材とカバー本体とをコイルばねで固定するだけの簡易構造であり、建築躯体より専用の支持を取る必要がなく、容易に施工することができる。また天井には開口をあけるのみで部材を天井に固定する必要が無いため、天井がカバー本体の自重を支える必要も無く、施工が更に容易になるばかりか、天井材料選定が自由になる。
【手続補正１１】
【補正対象書類名】明細書
【補正対象項目名】００１７
【補正方法】変更
【補正の内容】
【００１７】
本発明の請求項６では、天井板に開口した天井点検用開口部の周囲に当接し、この天井点検用開口部を覆うカバー本体と、このカバー本体の平面視中央に設けられた穴から望ませられるスプリンクラーヘッドと、このスプリンクラーヘッドと給水管とを配管接続継手によって接続し、前記給水管から供給された水を前記スプリンクラーヘッドから放水可能としたスプリンクラー装置において、前記カバー本体の平面視中央に固定され、少なくとも外周部又は内周部のいずれかにねじを有し、前記スプリンクラーヘッドを挿通可能な円筒状の第一の接続部材と、この第一の接続部材の前記ねじと螺合可能に少なくとも外周部又は内周部のいずれかにねじを有し、前記配管接続継手に固定される円筒状の第二の接続部材とを備え、この第二の接続部材と前記第一の接続部材が前記ねじにより螺合されることにより、前記カバー本体の周囲を前記天井板の表面と当接して保持することを特徴とするスプリンクラー装置とした。